(57)【要約】【課題】新着メールを確認するタイミングを制御すること。【解決手段】電子メールを受信する電子メール受信部１３０と、電子メール受信部１３０が受信した電子メールの送信時刻を特定する送信時刻特定部１４０と、送信時刻特定部１４０が特定した送信時刻に基づいて、１日を複数の時間帯に区分したときの各時間帯において送信相手から送信された電子メールの件数を集計する電子メール件数集計部１５０と、電子メール件数集計部１５０が集計した各時間帯における電子メールの件数に応じ、異なる時間間隔置きにメールサーバへ新着メールの確認を行う新着メール確認部１７０とを備える。【選択図】図２
2011065225.tif 000002
【特許請求の範囲】
【請求項１】
新着メールを確認するタイミングを制御する新着メール確認制御装置であって、
電子メールを受信する電子メール受信部と、
前記電子メール受信部が受信した電子メールの送信時刻を特定する送信時刻特定部と、
前記送信時刻特定部が特定した送信時刻に基づいて、１日を複数の時間帯に区分したときの各時間帯において送信相手から送信された電子メールの件数を集計する電子メール件数集計部と、
前記電子メール件数集計部が集計した各時間帯における電子メールの件数に応じ、異なる時間間隔置きにメールサーバへ新着メールの確認を行う新着メール確認部と
を備える新着メール確認制御装置。
【請求項２】
所定時間内に送信される電子メールの件数毎に対する、前記メールサーバへ新着メールの確認を行うべき時間間隔の設定の入力を受け付ける設定入力受付部
を更に備え、
前記新着メール確認部は、前記電子メール件数集計部が集計した電子メールの件数のうち、現在時刻に相当する時間帯における電子メールの件数を特定し、前記設定入力受付部が受け付けた入力によって設定される時間間隔のうち、前記特定した電子メールの件数が送信されるときの時間間隔を特定し、当該特定した時間間隔置きにメールサーバへ新着メールの確認を行う請求項１に記載の新着メール確認制御装置。
【請求項３】
前記設定入力受付部は、所定時間内に送信される電子メールの件数が少ないほど、前記メールサーバへ新着メールの確認を行うべき時間間隔として短い時間間隔となる値の設定の入力を受け付ける請求項２に記載の新着メール確認制御装置。
【請求項４】
新着メールを確認するタイミングを制御する新着メール確認制御システムであって、
電子メールを受信する電子メール受信部と、
前記電子メール受信部が受信した電子メールの送信時刻を特定する送信時刻特定部と、
前記送信時刻特定部が特定した送信時刻に基づいて、１日を複数の時間帯に区分したときの各時間帯において送信相手から送信された電子メールの件数を集計する電子メール件数集計部と、
前記電子メール件数集計部が集計した各時間帯における電子メールの件数に応じ、異なる時間間隔置きにメールサーバへ新着メールの確認を行う新着メール確認部と
を備える新着メール確認制御システム。
【請求項５】
新着メールを確認するタイミングを制御する新着メール確認制御方法であって、
電子メールを受信する電子メール受信ステップと、
前記電子メール受信ステップにおいて受信された電子メールの送信時刻を特定する送信時刻特定ステップと、
前記送信時刻特定ステップにおいて特定された送信時刻に基づいて、１日を複数の時間帯に区分したときの各時間帯において送信相手から送信された電子メールの件数を集計する電子メール件数集計ステップと、
前記電子メール件数集計ステップにおいて集計された各時間帯における電子メールの件数に応じ、異なる時間間隔置きにメールサーバへ新着メールの確認を行う新着メール確認ステップと
を備える新着メール確認制御方法。
【請求項６】
新着メールを確認するタイミングを制御する新着メール確認制御プログラムであって、
コンピュータを、
電子メールを受信する電子メール受信部、
前記電子メール受信部が受信した電子メールの送信時刻を特定する送信時刻特定部、
前記送信時刻特定部が特定した送信時刻に基づいて、１日を複数の時間帯に区分したときの各時間帯において送信相手から送信された電子メールの件数を集計する電子メール件数集計部、
前記電子メール件数集計部が集計した各時間帯における電子メールの件数に応じ、異なる時間間隔置きにメールサーバへ新着メールの確認を行う新着メール確認部
として機能させる新着メール確認制御プログラム。
【発明の詳細な説明】
【技術分野】
【０００１】
本発明は、新着メールを確認するタイミングを制御する、新着メール確認制御装置、新着メール確認制御システム、新着メール確認制御方法、及び新着メール確認制御プログラムに関する。
【背景技術】
【０００２】
近年の携帯端末にあっては、ＭＭＳ（Ｍｕｌｔｉｍｅｄｉａ  Ｍｅｓｓａｇｉｎｇ  Ｓｅｒｖｉｃｅ）と呼ばれるサービスを利用することによって、携帯端末同士で短いメッセージを送受信することが可能となっている。ＭＭＳには、自動受信と選択受信という２種類の配送方法がある。そのうち自動受信の配送方法は、携帯端末のＭＭＳクライアントがＭＭＳ通知を受け取ると、通知を送ったＭＭＳＣ（Ｍｕｌｔｉｍｅｄｉａ  Ｍｅｓｓａｇｉｎｇ  Ｓｅｒｖｉｃｅ  Ｃｅｎｔｅｒ）からメッセージ通知を携帯端末にＳＭＳ（Ｓｈｏｒｔ  Ｍｅｓｓａｇｅ  Ｓｅｒｖｉｃｅ）送信する。携帯端末は、このメッセージ通知を基に、自動的にＭＭＳメッセージ本文のダウンロードを開始する。そして、携帯端末は、本文のダウンロード後、ユーザにメッセージ着信を通知する。
【０００３】
ところで、スマートフォンと呼ばれる携帯端末等においては、電子メール機能を持ったものがある。しかしながら、電子メールは、ＭＭＳのように本文を自動的にダウンロードして、その旨をユーザに通知するような仕組みではなく、携帯端末の電子メールクライアントがメールサーバに新着メールの確認を行う必要がある。したがって、ユーザは、電子メールクライアントを起動して、メールサーバへ新着メールを確認するという煩わしい操作を定期的に行わなければならなくなる。
【０００４】
また、電子メールクライアントによっては、メールサーバへの新着メールの確認が自動的に行われるよう、確認を行う定期的な時間間隔を設定することができるものがある。しかしながら、このような電子メールクライアントは、常に設定された時間間隔に基づいて新着メールの確認を行う。そのため、設定された時間間隔が短い場合には、新着メールの確認のための通信を頻繁に行うこととなり、携帯端末の電池の消耗が激しくなってしまう。また、設定された時間間隔が長い場合には、自分宛の電子メールが送信されていても確認することができないため、電子メールを受信するタイミングが遅れてしまう。
【０００５】
このような問題を解決するための技術として、本技術分野においては、様々な提案がなされている（例えば、特許文献１参照）。特許文献１に記載の技術は、自己宛の電子メールが着信すると、着信確認をする時間間隔を一定期間自動的に短くするものである。また、特許文献１に記載の技術は、この短い時間間隔で着信確認をしている間に更に新たな電子メールが着信すると、この期間を延長するものである。このようにして、特許文献１の技術においては、応答を早くすることができ、かつメールサーバ等に過大な負担をかけることがなくなるという効果を奏する。
【先行技術文献】
【特許文献】
【０００６】
【特許文献１】特開２００３−１０８４８８号公報
【発明の概要】
【発明が解決しようとする課題】
【０００７】
しかしながら、特許文献１に記載の技術は、電子メールを受信してから一定時間の間、次の新着メールを受信することができなければ、その後、短い時間間隔によって新着メールが確認されることはない。すなわち、特許文献１の技術は、新着メールの着信がない限り、結局、ユーザによる手動受信、あるいは、固定時間間隔によって自動受信を行うことになり、その頻度によっては、電池の消耗の問題や、電子メールを受信するタイミングが遅れてしまうといった問題を解決するに至っていない。
【０００８】
そこで本発明は、上記課題を解決することができる新着メール確認制御装置、新着メール確認制御システム、新着メール確認制御方法、及び新着メール確認制御プログラムを提供することを目的とする。この目的は特許請求の範囲における独立項に記載の特徴の組み合わせにより達成される。また従属項は本発明の更なる有利な具体例を規定する。
【課題を解決するための手段】
【０００９】
上記課題を解決するために、本発明の新着メール確認制御装置においては、新着メールを確認するタイミングを制御する新着メール確認制御装置であって、電子メールを受信する電子メール受信部と、電子メール受信部が受信した電子メールの送信時刻を特定する送信時刻特定部と、送信時刻特定部が特定した送信時刻に基づいて、１日を複数の時間帯に区分したときの各時間帯において送信相手から送信された電子メールの件数を集計する電子メール件数集計部と、電子メール件数集計部が集計した各時間帯における電子メールの件数に応じ、異なる時間間隔置きにメールサーバへ新着メールの確認を行う新着メール確認部とを備える。
【００１０】
また、本発明の新着メール確認制御システムにおいては、新着メールを確認するタイミングを制御する新着メール確認制御システムであって、電子メールを受信する電子メール受信部と、電子メール受信部が受信した電子メールの送信時刻を特定する送信時刻特定部と、送信時刻特定部が特定した送信時刻に基づいて、１日を複数の時間帯に区分したときの各時間帯において送信相手から送信された電子メールの件数を集計する電子メール件数集計部と、電子メール件数集計部が集計した各時間帯における電子メールの件数に応じ、異なる時間間隔置きにメールサーバへ新着メールの確認を行う新着メール確認部とを備える。
【００１１】
また、本発明の新着メール確認制御方法においては、新着メールを確認するタイミングを制御する新着メール確認制御方法であって、電子メールを受信する電子メール受信ステップと、電子メール受信ステップにおいて受信された電子メールの送信時刻を特定する送信時刻特定ステップと、送信時刻特定ステップにおいて特定された送信時刻に基づいて、１日を複数の時間帯に区分したときの各時間帯において送信相手から送信された電子メールの件数を集計する電子メール件数集計ステップと、電子メール件数集計ステップにおいて集計された各時間帯における電子メールの件数に応じ、異なる時間間隔置きにメールサーバへ新着メールの確認を行う新着メール確認ステップとを備える。
【００１２】
また、本発明の新着メール確認制御プログラムにおいては、新着メールを確認するタイミングを制御する新着メール確認制御プログラムであって、コンピュータを、電子メールを受信する電子メール受信部、電子メール受信部が受信した電子メールの送信時刻を特定する送信時刻特定部、送信時刻特定部が特定した送信時刻に基づいて、１日を複数の時間帯に区分したときの各時間帯において送信相手から送信された電子メールの件数を集計する電子メール件数集計部、電子メール件数集計部が集計した各時間帯における電子メールの件数に応じ、異なる時間間隔置きにメールサーバへ新着メールの確認を行う新着メール確認部として機能させる。
【発明の効果】
【００１３】
本発明によれば、過去に所定時間内に自分宛に送信された電子メールの件数に基づいて、時間帯毎に新着メールの確認の間隔を自動的に変更させることができる。したがって、過去に自分宛に送信された電子メールの件数が少ない時間帯には、新着メールの確認の間隔を長くすることによって、携帯電話の電池の消耗を抑えることを優先させることができる。また、過去に自分宛に送信された電子メールの件数が多い時間帯には、新着メールの確認の間隔を短くすることによって、新着メールを迅速に確認することを優先させることができる。
【図面の簡単な説明】
【００１４】
【図１】本発明の一実施形態に係る携帯電話１００の概要を示す図である。
【図２】本実施形態に係る携帯電話１００の機能構成の一例を示す図である。
【図３】本実施形態に係る時間間隔設定データベース１２０のデータ構造の一例を示す図である。
【図４】本実施形態に係る電子メール集計件数データベース１６０のデータ構造の一例を示す図である。
【図５】携帯電話１００における電子メールを受信した後の処理フローの一例を示す図である。
【図６】携帯電話１００における新着メールの確認に伴う処理フローの一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本発明の一実施形態に係る携帯電話１００の概要を示す図である。
携帯電話１００は、電子メールのクライアントソフトウェアがインストールされた端末である。携帯電話１００は、電子メールのクライアントソフトウェアによって、メールサーバ４００から電子メールを受信する。メールサーバ４００は、携帯電話１００のユーザの電子メールの送信や受信を行うサーバである。同様に、メールサーバ５００は、パソコン６００のユーザの電子メールの送信や受信を行うサーバである。これらメールサーバ４００、５００、及びパソコン６００は、それぞれインターネット３００に接続されている。
【００１７】
携帯電話１００は、移動体通信網２００に無線接続されており、移動体通信網２００及びインターネット３００を介してメールサーバ４００と電子メールの送受信を行う。また、パソコン６００は、インターネット３００を介してメールサーバ５００と電子メールの送受信を行う。パソコン６００から携帯電話１００に電子メールが送信される場合、パソコン６００から送信された電子メールは、メールサーバ５００、及びメールサーバ４００を順に介して携帯電話１００に受信される。
【００１８】
携帯電話１００は、メールサーバ４００への新着メールの確認を行った後、新着メールがある場合に、その新着の電子メールを受信することができる。本発明に係る携帯電話１００は、このメールサーバ４００へ新着メールを確認する時間間隔を制御する機能を有することを特徴とする。なお、携帯電話１００は、本発明に係る新着メール確認制御装置の一例である。
【００１９】
図２は、本実施形態に係る携帯電話１００の機能構成の一例を示す図である。
携帯電話１００は、設定入力受付部１１０、時間間隔設定データベース１２０、電子メール受信部１３０、送信時刻特定部１４０、電子メール件数集計部１５０、電子メール集計件数データベース１６０、及び新着メール確認部１７０を備える。
【００２０】
設定入力受付部１１０は、ユーザからの設定の入力を受け付ける処理部である。設定入力受付部１１０は、携帯電話１００の操作ボタン等の入力手段を介して、携帯電話１００がメールサーバ４００に新着メールの確認をすべき時間間隔の設定の入力を受け付ける。そして、設定入力受付部１１０は、受け付けた入力によって設定されるべき時間間隔を示す情報を時間間隔設定データベース１２０に格納する。
【００２１】
時間間隔設定データベース１２０は、携帯電話１００がメールサーバ４００に新着メールの確認をすべき時間間隔の設定を示す情報１２１を格納しているデータベースである（図３参照）。時間間隔の設定を示す情報１２１は、電子メールの件数を示す情報１２２と対応付けて格納されている。電子メールの件数を示す情報１２２は、ある時間帯の間に携帯電話１００に送信されている電子メールの件数を示す情報である。ある時間帯とは、例えば、１日を６つの均等の時間帯に区分したときの一の時間帯を指す。例えば、図３に示す例の場合、ある時間帯に「０〜１件」の電子メールが送信されている場合には、携帯電話１００がメールサーバ４００に新着メールの確認をすべき時間間隔として「２４０分」が設定されていることになる。同様に、「２〜２０件」の電子メールが送信されている場合には、「６０分」が設定されており、「２１〜５０件」の電子メールが送信されている場合には、「３０分」が設定されていることになる。
【００２２】
電子メール受信部１３０は、電子メールを受信する処理部である。電子メール受信部１３０は、新着メールがあることを示すデータを新着メール確認部１７０から受け取ると、メールサーバ４００から電子メールを受信し、受信した電子メールのヘッダ情報を示すデータを送信時刻特定部１４０に送る。
【００２３】
送信時刻特定部１４０は、電子メールの送信時刻を特定する処理部である。送信時刻特定部１４０は、受信した電子メールのヘッダ情報を示すデータを電子メール受信部１３０から受け取ると、受け取ったデータによって示されるヘッダ情報から送信時刻を特定し、特定した電子メールの送信時刻を示すデータを電子メール件数集計部１５０に送る。
【００２４】
電子メール件数集計部１５０は、電子メールの件数を集計する処理部である。電子メール件数集計部１５０は、電子メールの送信時刻を示すデータを送信時刻特定部１４０から受け取ると、電子メール集計件数データベース１６０が格納している電子メールの集計件数の情報を更新する。
【００２５】
電子メール集計件数データベース１６０は、受信した電子メールの集計件数を示す情報１６１を格納しているデータベースである（図４参照）。電子メールの集計件数を示す情報１６１は、時間帯を示す情報１６２と対応付けて格納されている。電子メールの集計件数を示す情報１６１は、電子メールの送信時刻に基づいて集計された情報である。また、時間帯を示す情報１６２は、例えば、１日を６つの均等の時間帯に区分したときの各時間帯を示す情報である。即ち、各電子メールの集計件数を示す情報１６１は、時間帯を示す情報１６２によって示される時間帯において送信された電子メールの件数を集計した件数ということになる。例えば、図４に示す例の場合、「０〜４時」の時間帯には、１件も電子メールが送信されなかったことを示している。また、「４〜８時」の時間帯には、「１０件」の電子メールが送信されたことを示している。同様に、「８〜１２時」の時間帯には「５件」、「１２〜１６時」の時間帯には「２５件」、「１６〜２０時」の時間帯には「５０件」、「２０〜２４時」の時間帯にも「５０件」の電子メールがそれぞれ送信されたことを示している。
【００２６】
新着メール確認部１７０は、新着メールの確認を行う処理部である。新着メール確認部１７０は、時間間隔設定データベース１２０が格納している設定情報と、電子メール集計件数データベース１６０が格納している情報とを参照し、時間帯毎に設定されている異なる時間間隔に従って、メールサーバ４００に新着メールの確認を行う。
【００２７】
図５は、携帯電話１００における電子メールを受信した後の処理フローの一例を示す図である。
以下の説明においては、携帯電話１００は、メールサーバ４００へ電子メールの確認を行う時間間隔の設定をユーザから受けているものとする。時間間隔の設定は、所定時間内にある件数の電子メールが送信されているときに、どのくらいの時間間隔を置いて電子メールの確認を自動的に行うのかを示す設定である。ユーザは、時間間隔の設定を行うにあたり、通常、過去の一の時間帯に送信されている電子メールの件数が少ないほど、長い時間間隔を設定する。上述したように、本実施形態においては、１日を６つの均等の時間帯に区分している。即ち、一の時間帯は、４時間となる。以下の説明においては、ユーザは、図３に示すように、過去の４時間の時間帯に「０〜１件」の電子メールが送信されている場合、「２４０分」の時間間隔を置いてメールサーバ４００に新着メールの確認を行うよう設定したと仮定する。この場合、携帯電話１００は、その時間帯に新着メールの確認を１回しか行わないことになる。また、ユーザは、過去の４時間の時間帯に「２〜２０件」の電子メールが送信されている場合、「６０分」の時間間隔を置いてメールサーバ４００に新着メールの確認を行うよう設定したと仮定する。この場合、携帯電話１００は、その時間帯に新着メールの確認を４回行うことになる。また、ユーザは、過去の４時間の時間帯に「２１〜５０件」の電子メールが送信されている場合、「３０分」の時間間隔を置いてメールサーバ４００に新着メールの確認を行うよう設定したと仮定する。この場合、携帯電話１００は、その時間帯に新着メールの確認を８回行うことになる。なお、これら設定の情報は、携帯電話１００の設定入力受付部１１０が操作ボタン等の入力手段を介してユーザから受け付け、時間間隔設定データベース１２０に格納されている。
【００２８】
まず、携帯電話１００の電子メール受信部１３０がメールサーバ４００から電子メールを受信すると（Ｓ１０１）、携帯電話１００の送信時刻特定部１４０は、受信した電子メールの送信時刻を特定する（Ｓ１０２）。具体的には、送信時刻特定部１４０は、受信した電子メールのヘッダ情報を参照することによって、当該電子メールが送信された送信時刻を特定する。例えば、パソコン６００から送信された電子メールの場合、電子メールのヘッダ情報には、パソコン６００が利用しているメールサーバ５００がパソコン６００から携帯電話１００宛の電子メールを受信した時刻が記載されている。したがって、送信時刻特定部１４０は、この送信元のメールサーバ５００が電子メールを受信した時刻を送信元のパソコン６００からの電子メールの送信時刻として特定する。
【００２９】
そして、携帯電話１００の電子メール件数集計部１４０は、特定された電子メールの送信時刻に基づいて、電子メール集計件数データベース１６０の情報を更新する（Ｓ１０３）。上述したように、電子メール集計件数データベース１６０は、各時間帯に携帯電話１００宛に送信された電子メールの件数の集計結果を示す情報を格納している。具体的には、電子メール集計件数データベース１６０は、これら情報を、日毎に集計した結果として格納している。例えば、送信時刻特定部１４０が特定した送信時刻が９時２８分であった場合、電子メール件数集計部１４０は、「８〜１２時」の時間帯を示す情報１６２に対応する電子メールの集計件数を示す情報１６１の件数をインクリメントする。このようにして集計され、電子メール集計件数データベース１６０が格納している情報は、翌日以降の新着メールの確認処理において参照されることとなる。
【００３０】
上記の説明においては、電子メール集計件数データベース１６０が日毎に電子メールの集計件数を格納しており、電子メール件数集計部１４０が電子メールの送信時刻に相当する時間帯を示す情報１６２と対応付けられた電子メールの集計件数を示す情報１６１の件数をインクリメントする例について説明した。しかしながら、電子メールの件数の集計方法は、上記方法に限られない。例えば、電子メール集計件数データベース１６０は、過去の各時間帯において携帯電話１００宛に送信された電子メールの件数の平均値を、電子メールの集計件数を示す情報１６１として格納するようにしてもよい。その場合、電子メール件数集計部１４０は、電子メールの送信時刻に相当する時間帯を示す情報１６２と対応付けられた電子メールの件数の平均値を算出しなおし、新たに算出された値を、電子メールの集計件数を示す情報１６１として更新する。
【００３１】
図６は、携帯電話１００における新着メールの確認に伴う処理フローの一例を示す図である。
携帯電話１００は、以下に説明する処理を行うことによって、メールサーバ４００に新着メールを確認する時間間隔を時間帯毎に変更する。以下の説明においては、携帯電話１００の時間間隔設定データベース１２０に、図３に示すような設定がなされているものとする。また、以下の説明においては、携帯電話１００の電子メール集計件数データベース１６０に、図４に示すような集計がなされているものとする。
【００３２】
まず、携帯電話１００の新着メール確認部１７０は、電子メール集計件数データベース１６０を参照し、現在時刻に相当する時間帯を示す情報１６２における電子メールの集計件数を示す情報１６１に格納されている件数を特定する（Ｓ２０１）。例えば、携帯電話１００の新着メール確認部１７０は、現在時刻が９時２８分の場合、新着メール確認部１７０は、電子メールの集計件数を示す情報１６１として、「８〜１２時」の時間帯を示す情報１６２に対応付けられている件数の「５件」を特定する。
【００３３】
そして、新着メール確認部１７０は、時間間隔設定データベース１２０を参照し、Ｓ２０１の処理によって特定された電子メールの件数のときの設定である、メールサーバ４００に新着メールを確認すべき時間間隔を特定する（Ｓ２０２）。例えば、本実施形態の場合、Ｓ２０１において電子メールの集計件数が「５件」であると特定されているので、新着メール確認部１７０は、メールサーバ４００に新着メールを確認すべき時間間隔の設定を示す情報１２１として、「２〜２０件」の電子メールの件数を示す情報１２２に対応付けられている設定である「６０分」を特定する。
【００３４】
そして、新着メール確認部１７０は、メールサーバ４００に新着メールの確認を行う（Ｓ２０３）。その後、新着メール確認部１７０は、時間間隔設定データベース１２０を参照して特定した時間が経過した後（Ｓ２０４）、そのときの時刻がＳ２０１の処理において参照された時間帯から変わっていなければ（Ｓ２０５：Ｎｏ）、再度メールサーバ４００に新着メールの確認を行う（Ｓ２０３）。このように、新着メール確認部１７０は、Ｓ２０３〜Ｓ２０５の処理を繰り返し、時間間隔設定データベース１２０を参照して特定した時間が経過した後（Ｓ２０４）、そのときの時刻がＳ２０１の処理において参照された時間帯から変わっている場合（Ｓ２０５：Ｙｅｓ）、再度Ｓ２０１から始まる処理によって、メールサーバ４００に新着メールを確認すべき時間間隔の設定を特定しなおす。例えば、本実施形態の場合、時間間隔の設定として「６０分」が特定されているので、新着メール確認部１７０は、現在時刻の９時２８分、６０分後の１０時２８分、更に６０分後の１１時２８分にそれぞれ、新着メールの確認を行う。そして、新着メール確認部１７０は、１２時２８分に新着メールの確認を行うにあたり、Ｓ２０１から始まる処理によって、時間間隔の設定を特定しなおす。即ち、新着メール確認部１７０は、電子メール集計件数データベース１６０を参照し、電子メールの集計件数を示す情報１６１として、１２時２８分に相当する時間帯を示す情報１６２に対応付けられている件数である「２５件」を特定する。そして、新着メール確認部１７０は、時間間隔設定データベース１２０を参照し、時間間隔の設定を示す情報１２１として、「２１〜５０件」の電子メールの件数を示す情報１２２に対応付けられている設定である「３０分」を特定する。そして、新着メール確認部１７０は、１２時２８分に新着メールの確認を行った後、１２時５８分、１３時２８分、１３時５８分、・・・と１６時までの時間帯の間、３０分置きに新着メールを確認することとなる。そして、新着メールがあることが確認されると、携帯電話１００の電子メール受信部１３０は、新着の電子メールを受信する。
【００３５】
このように、本実施形態に係る携帯電話１００においては、一時間帯あたりに送信される電子メールの件数によって、新着メールの確認を行うべき時間間隔を複数設定することができ、時間帯の推移に応じて、メールサーバ４００に新着メールを確認する時間帯が自動的に変更される。よって、本実施形態に係る携帯電話１００においては、時間帯あたりに送信される電子メールの件数が少ない場合には、新着メールの確認の時間間隔を長く設定しておくことによって、電池の消耗を抑えることができる。また、本実施形態に係る携帯電話１００においては、時間帯あたりに送信される電子メールの件数が多い場合には、新着メールの確認の時間間隔を短く設定しておくことによって、多くの電子メールをなるべく遅延なく受信することができる。
【００３６】
以上、本発明を実施の形態を用いて説明したが、本発明の技術的範囲は上記実施の形態に記載の範囲には限定されない。上記実施の形態に、多様な変更または改良を加えることができることが当業者に明らかである。その様な変更または改良を加えた形態も本発明の技術的範囲に含まれ得ることが、特許請求の範囲の記載から明らかである。
【符号の説明】
【００３７】
１００  携帯電話
１１０  設定入力受付部
１２０  時間間隔設定データベース
１２１  時間間隔の設定を示す情報
１２２  電子メールの件数を示す情報
１３０  電子メール受信部
１４０  送信時刻特定部
１５０  電子メール件数集計部
１６０  電子メール集計件数データベース
１６１  電子メールの集計件数を示す情報
１６２  時間帯を示す情報
１７０  新着メール確認部
２００  移動体通信網
３００  インターネット
４００  メールサーバ
５００  メールサーバ
６００  パソコン
【図１】
2011065225.tif 000003
【図２】
2011065225.tif 000004
【図３】
2011065225.tif 000005
【図４】
2011065225.tif 000006
【図５】
2011065225.tif 000007
【図６】
2011065225.tif 000008